(57)【要約】      （修正有）【課題】送信者が受信装置でのプレビュー表示をどのように行なうかを指定することができ、受信装置ではそれに従って表示処理を行なうことができるデータ送受信システムを提供する。【解決手段】送信装置の操作あるいは自動判別によって、プレビュー制御情報を画像データとともに送信する。受信装置側では、プレビュー制御情報を抽出し、受信した画像データに対して処理をした上でプレビュー画面として表示する。【選択図】図２
2008022489.tif 000002
【特許請求の範囲】
【請求項１】
ネットワーク環境に接続され、画像データを少なくとも１つ含むデータを通信することが可能なデータ送信装置と画像データを表示することが可能な表示部を備えるデータ受信装置からなるデータ送受信システムのデータ送受信方法であって、
前記データ送信装置のデータ送信工程は、画像データとプレビュー制御情報を送信する画像データ送信工程とを有し、
前記データ受信装置のデータ受信工程は、ネットワークからデータを受信する受信工程と、前記受信工程において受信したデータから前記画像データを抽出する画像データ抽出工程と、前記受信工程において受信したデータから前記プレビュー制御情報を抽出するプレビュー制御情報抽出工程と、前記プレビュー制御情報と前記画像データに基づいてプレビュー用画像データを作成するプレビュー画像作成工程と、前記プレビュー画像を表示するプレビュー画像表示工程とを有することを特徴とするデータ送受信方法。
【請求項２】
前記データ送信工程及び前記データ受信工程において、前記画像データは、カラー画像あるいはモノクロ画像であることを特徴とする請求項１に記載のデータ送受信方法。
【請求項３】
前記データ送信工程及び前記データ受信工程において、前記画像データは、圧縮画像データあるいは無圧縮画像データであることを特徴とする請求項１に記載のデータ送受信方法。
【請求項４】
前記データ送信工程において、前記プレビュー制御情報は、前記データ受信装置によって受信する際、前記画像データよりも先に受信することができるように送信することを特徴とする請求項１に記載のデータ送受信方法。
【請求項５】
前記データ送信工程において、前記プレビュー制御情報は、データの送信者が指定することを特徴とする請求項１に記載のデータ送受信方法。
【請求項６】
前記データ送信工程において、前記プレビュー制御情報は、前記データ送信装置が自動で判別し、送信データに付加することを特徴とする請求項１に記載のデータ送受信方法。
【請求項７】
前記データ送信工程において、前記プレビュー制御情報は、任意の領域を指定することができることを特徴とする請求項１又は５に記載のデータ送受信方法。
【請求項８】
前記データ送信工程において、前記プレビュー制御情報は、送信する前記画像データのページレイアウトを指定することができることを特徴とする請求項１又は５に記載のデータ送受信方法。
【請求項９】
前記データ受信工程において、前記プレビュー画像作成工程は、前記プレビュー制御情報が領域として指定されていた場合、指定された領域が前記表示部に収まるように拡大縮小および平行移動を行なうことを特徴とする請求項１に記載のデータ送受信方法。
【請求項１０】
前記データ受信工程において、前記プレビュー画像作成工程は、前記プレビュー制御情報がページレイアウトとして指定された場合、プレビュー画像をページごとに生成し、表示することを特徴とする請求項１に記載のデータ送受信方法。
【請求項１１】
ネットワーク環境に接続され、画像データを少なくとも１つ含むデータを通信することが可能なデータ送信装置とデータ受信装置からなるデータ送受信システムにおいて、
前記データ送信装置は、画像データとプレビュー制御情報を送信する画像データ送信手段を含み、
前記データ受信装置は、
ネットワークからデータを受信する受信手段と、
前記受信手段において受信したデータから画像データを抽出する画像データ抽出手段と、
前記受信手段において受信したデータからプレビュー制御情報を抽出するプレビュー制御情報抽出手段と、
前記プレビュー制御情報と前記画像データに基づいてプレビュー用画像データを作成するプレビュー画像作成手段と、
前記プレビュー画像を表示するプレビュー画像表示手段と
を含むことを特徴とするデータ送受信システム。
【請求項１２】
前記データ送信装置及び前記データ受信装置は、ファクシミリ装置であることを特徴とする、請求項１１に記載のデータ送受信システム。
【請求項１３】
請求項１に記載のデータ送受信方法の各工程をコンピュータに実行させるためのプログラム。
【発明の詳細な説明】
【技術分野】
【０００１】
本発明は、例えば表示部を備えたファクシミリ装置など、ネットワーク通信によって受信した画像の閲覧が可能なデータ送受信システム及びデータ送受信方法に関する。
【背景技術】
【０００２】
従来、ファクシミリ装置は、ビットマップ画像を表示することが可能な表示部を備え、受信画像データを表示部においてプレビューしてから印刷を行なえるものがあった。受信した画像データは一度メモリ等に格納され、受信者はプレビュー画面を見て、必要であれば印刷処理を行ない、内容が理解できるだけで十分であればデータを廃棄することにより、ファクシミリ用紙の節約が可能になる。
【０００３】
プレビュー画面には、原稿の全体が収まるように、あるいはプレビュー画面の幅または高さのどちらか一方に合わせて拡大縮小して表示させる。プレビュー画面をより見やすくするための受信装置側の処理方法として、ビットマップデータの中から散在する記述領域を抽出し、それらの記述領域全体を包むような矩形領域をビットマップデータから切り出す。そして、表示部のサイズに合わせて拡大縮小を行ない、表示を行なうものがある（例えば、特許文献１を参照）。
【０００４】
また、原稿の一部に送信したくない箇所がある場合には、その部分を修正液で消したり、紙を貼って隠すなどしてから画像データを送信していた。原稿に細工を施す手間を省くために、送信装置側の処理方法としては以下のものがあった。即ち、スキャンした送信画像をプレビュー表示し、送信者が送信したくない任意の範囲を指定することによって、その指定された範囲を白べたに変更し、送信する（例えば、特許文献２を参照）。
【０００５】
【特許文献１】特開平１０−３０４１８５号公報
【特許文献２】特開平８−２２３３９７号公報
【発明の開示】
【発明が解決しようとする課題】
【０００６】
しかしながら、従来の受信装置側での処理方法によれば、プレビュー画面の表示は受信者側が判断してより見やすい表示を行なうだけであり、送信者の意図が反映されなかった。つまり、例えば送信者が受信者にもっとも注目させたい領域が送信画像のうち一部であったとしても、プレビュー画面にその領域を拡大して表示したりすることはできなかった。
【０００７】
また、送信装置側での処理方法によれば、送信したくない箇所を隠すことは可能だが、送信者が原稿全体を送信した上で、ある特定の部分を注目させたい場合などには適していなかった。
【０００８】
また、プレビュー画面は、送信原稿を送信装置側でスキャンした方向に従って表示されてしまう問題があった。例えば横向きの原稿を縦方向にスキャンした画像を送信すると、受信装置側でプレビューするときに縦方向に表示されてしまうため、受信者が操作してプレビュー画面の方向を合わせる必要があった。
【０００９】
本発明は、送信者が受信装置でのプレビュー表示をどのように行なうかを指定することができ、受信装置ではそれに従って表示処理を行なうことができるデータ送受信システム及びデータ送受信方法を提供することを目的とする。
【課題を解決するための手段】
【００１０】
本発明のデータ送受信方法は、ネットワーク環境に接続され、画像データを少なくとも１つ含むデータを通信することが可能なデータ送信装置と画像データを表示することが可能な表示部を備えるデータ受信装置からなるデータ送受信システムのデータ送受信方法であって、前記データ送信装置のデータ送信工程は、画像データとプレビュー制御情報を送信する画像データ送信工程とを有し、前記データ受信装置のデータ受信工程は、ネットワークからデータを受信する受信工程と、前記受信工程において受信したデータから前記画像データを抽出する画像データ抽出工程と、前記受信工程において受信したデータから前記プレビュー制御情報を抽出するプレビュー制御情報抽出工程と、前記プレビュー制御情報と前記画像データに基づいてプレビュー用画像データを作成するプレビュー画像作成工程と、前記プレビュー画像を表示するプレビュー画像表示工程とを有する。
【００１１】
本発明のデータ送受信システムは、ネットワーク環境に接続され、画像データを少なくとも１つ含むデータを通信することが可能なデータ送信装置とデータ受信装置からなるデータ送受信システムにおいて、前記データ送信装置は、画像データとプレビュー制御情報を送信する画像データ送信手段を含み、前記データ受信装置は、ネットワークからデータを受信する受信手段と、前記受信手段において受信したデータから画像データを抽出する画像データ抽出手段と、前記受信手段において受信したデータからプレビュー制御情報を抽出するプレビュー制御情報抽出手段と、前記プレビュー制御情報と前記画像データに基づいてプレビュー用画像データを作成するプレビュー画像作成手段と、前記プレビュー画像を表示するプレビュー画像表示手段とを含む。
【発明の効果】
【００１２】
本発明によれば、データ送信装置側で付加されたプレビュー制御情報をもとに、受信した画像データを表示部に表示させることが可能となる。このために、画像データをそのまま送信し、かつ送信装置を操作するユーザの意図を反映させてプレビューの表示を制御することが可能になる。
【発明を実施するための最良の形態】
【００１３】
＜実施形態１＞
以下、本発明の第１の実施形態について図面を参照して説明する。
図１は本発明のデータ送受信システムの原理を説明した図である。
【００１４】
図１において、データ送信装置１０１とデータ受信装置１０２がネットワーク１００を介して接続している。ネットワーク１００は、有線ＬＡＮ、無線ＬＡＮ、公衆電話回線などでよく、本実施例では特定しない。
【００１５】
次に、データ送信装置１０１およびデータ受信装置１０２のハードウェア構成について、図２に示したブロック図を参照して説明する。
図２において、ＣＰＵ２０２は装備している機能を実行し、データ送信装置１０１あるいはデータ受信装置１０２を制御する。
【００１６】
ＲＯＭ２０３は、変更を必要としないプログラムや各種パラメータを格納する。
ＲＡＭ２０４はＳＤＲＡＭ、ＤＲＡＭなどによって構成され、外部装置などから供給されるプログラムやデータを一時記憶する。
通信インタフェース２０５は、ＩＥＥＥ１３９４インタフェース、ＩＥＥＥ１２８４インタフェース、有線ＬＡＮインタフェース、無線ＬＡＮインタフェース、電話回線モデムなどでよく、本実施例では特定しない。
【００１７】
スキャナ２０６は、原稿を読み取り、ＲＯＭ２０３に格納されているプログラムが処理されることによって画像データがＲＡＭ２０４に格納される。
操作ユニット２０７は、データ送信装置１０１あるいはデータ受信装置１０２の本体に設けられたボタン、スイッチなどからの入力を受け取り、その信号をＣＰＵ２０２に入力し、操作に応じてプログラムの処理を行なう。
【００１８】
表示ユニット２０８は、プログラムによって入力された画像データを出力する。
操作ユニット２０７と表示ユニット２０８はタブレットのように入力と出力の両方が行なえるデバイスを用いてもよい。
バス２０１は、システムバスであって、ＣＰＵ２０２、ＲＯＭ２０３、ＲＡＭ２０４、通信インタフェース２０５、スキャナ２０６、操作ユニット２０７、表示ユニット２０８を接続する。
【００１９】
次に、データ送信装置およびデータ受信装置の機能構成について、図を用いて説明する。
図３はデータ送信装置１０１の機能構成を示したブロック図である。
データ送信装置１０１は、画像読み取り部３０１、画像データ生成部３０２、画像データ表示部３０３、ユーザ入力処理部３０４、選択範囲計算部３０５、プレビュー制御情報生成部３０６、送信データ生成部３０７、データ送信処理部３０８を有して構成される。
【００２０】
画像読み取り部３０１は、スキャナ２０６から画像を読み取るものである。画像データ生成部３０２は、読み取った画像を適当なフォーマットのデータに変換する。画像データ表示部３０３は、生成された画像データを表示ユニット２０７に表示する。ユーザ入力処理部３０４は、ユーザの操作による入力を処理する。選択範囲計算部３０５は、ユーザ入力によって指定された矩形領域を求める。プレビュー制御情報生成部３０６は、計算結果をもとにプレビュー制御情報を生成する。送信データ生成部３０７は、画像データ生成部３０２で生成された画像とプレビュー制御情報生成部３０６で生成されたプレビュー制御情報を組み合わせて送信データを生成する。データ送信処理部３０８は、生成された送信データを通信インタフェース２０５を介して送信する。
【００２１】
図４はデータ受信装置１０２の機能構成を示したブロック図である。
データ受信装置１０２は、データ受信部４０１、画像データ抽出部４０２、プレビュー制御情報抽出部４０３、プレビュー画像生成部４０４、プレビュー画像表示部４０５を有して構成される。
【００２２】
データ受信部４０１は、通信インタフェース２０５を介してデータを受信するものである。画像データ抽出部４０２は、受信したデータから画像データを抽出する。プレビュー制御情報抽出部４０３は、受信データからプレビュー制御情報を抽出する。プレビュー画像生成部４０４は、画像データとプレビュー制御情報からプレビュー用の画像を生成する。プレビュー画像表示部４０５は、表示ユニット２０８にプレビュー画像を表示する。
【００２３】
次に、データ送信装置１０１を送信者が操作してデータを送信し、そのデータを受信したデータ受信装置が処理を完了するまでの一連の処理について説明する。
初めに、データ送信装置１０１を送信者が操作してデータ受信装置１０２にデータを送信する処理について、図５のフローチャートを用いて説明する。
【００２４】
まず、データ送信装置１０１にセットされた原稿を画像読み取り部３０１においてスキャンする（ステップ５０１）。
次に、スキャンしたデータを送信する画像データとして生成する（ステップ５０２）。
例えばファクシミリ送信装置であれば、画像データのフォーマットはＪＰＥＧである。
【００２５】
次に、プレビュー表示用画像データを生成する（ステップ５０３）。
次に、プレビュー表示用画像データを表示ユニット２０８に表示する（ステップ５０４）。
次に、データ送信装置のユーザがプレビュー画像の一部領域を指定し、その座標値を計算する（ステップ５０５）。
【００２６】
ステップ５０５における処理を図６に示した例を用いてさらに詳細に説明する。
図６はプレビュー画面を表示ユニット２０８に表示した例である。
ここでは、表示ユニットのデバイスとしてタッチパネルを使用し、操作ユニット２０７の機能も備えるものとする。
【００２７】
ユーザは、表示された送信画像データのプレビュー画面上にスタイラス６０１を使用して、送信画像データの部分領域を指定する。
スタイラス６０１を用いて表示ユニット上に任意の図形をスタイラスでたどることによって、スタイラス軌跡６０３が生成される。
【００２８】
次に、スタイラス軌跡６０３をすべて含むような、表示ユニットの高さ方向、幅方向にそれぞれ辺が平行となる矩形を求め、これをバウンディングボックス６０４とする。
このバウンディングボックス６０４の左上の頂点の位置および幅、高さが表示ユニット２０８上のデバイス座標として求める。
【００２９】
次に、そのデバイス座標が送信画像のどの位置に変換されるかを計算する。ここで求まった左上の頂点の座標を（Ｘ，Ｙ）、幅をＷ、高さをＨとする。
次に、プレビュー制御情報を "ｖｉｅｗＢｏｘ（Ｘ  Ｙ  Ｗ  Ｈ）"という文字列として生成される（ステップ５０６）。
【００３０】
次に、ステップ５０２で生成された送信画像データと、ステップ５０６で生成されたプレビュー制御情報を送信データ生成部３０７で生成し、データ送信処理部３０８より送信する（ステップ５０７）。
【００３１】
次に、データ送信装置１０１からデータを送信し、データ受信装置１０２がデータを受信するまでの処理の流れを、データ送信装置およびデータ受信装置がファクシミリ装置である場合について説明する。
【００３２】
図７はファクシミリ装置間での制御信号の送受信を示した図である。
送信側のファクシミリ装置から受信側のファクシミリ装置の番号を指定して接続したあと、フェーズＢに移行する。
まず、非標準機能識別信号（ＮＳＦ）、被呼端末識別信号（ＣＳＩ）、ディジタル命令信号（ＤＣＳ）が受信側装置から送信側装置に送られる。
このうち、ＮＳＦには拡張機能の一覧が送信される。続いて送信側装置は非標準機能設定信号（ＮＳＳ）、送信端末識別信号（ＴＩＳ）、ディジタル命令信号（ＤＣＳ）を送信する。このうち、ＮＳＳとして、プレビュー制御情報が送られる。
【００３３】
続いて、トレーニングチェック（ＴＣＦ）が送信装置から送信され、受信装置から受信準備確認信号（ＣＦＲ）が送信装置に送られ、フェーズＢを終了する。
次に、フェーズＣに移行し、画像信号として画像データを送信する。次にフェーズＤに移行し、送信装置側からメッセージ終了信号（ＥＯＭ）を送信し、受信装置側からメッセージ確認信号（ＭＣＦ）を送信装置側に送る。
最後に、切断命令信号（ＤＣＮ）が送信装置側から送られ、装置間の送受信の処理を完了する。
【００３４】
ここではファクシミリ装置におけるプロトコルに従って説明したが、画像データとプレビュー制御情報を送受信できる仕組みがあれば、他のプロトコルによっても構わない。
次に、データ受信装置１０２がデータを受信してからの処理の流れについて、図８に示したフローチャートを用いて説明する。
【００３５】
まず、受信したデータをＲＡＭ２０４に格納する（ステップ８０１）。
次に、ＲＡＭ２０４に格納されたデータからプレビュー情報を取得する（ステップ８０２）。ここで取得されるのは図５におけるステップ５０６で生成された"ｖｉｅｗＢｏｘ（Ｘ  Ｙ  Ｗ  Ｈ）"という文字列である。
【００３６】
次に、ＲＡＭ２０４に格納されたデータから画像データを取得する（ステップ８０３）。
ここで取得される画像データは、図５におけるステップ５０２で生成された画像データと同じものである。
次に、ステップ８０２で取得したプレビュー制御情報をもとに、ステップ８０３で取得した画像データを変形してプレビュー用画像を生成する（ステップ８０４）。
【００３７】
ここで、ステップ８０４におけるプレビュー画像生成処理について、図９に示したフローチャートを用いて詳細に説明する。
まず、表示ユニットの高さ、幅を取得する（ステップ９０１）。
得られた高さ、幅をそれぞれｈ、ｗをする。次にプレビュー制御情報から矩形領域の左上の頂点座標、高さ、幅を取得する（ステップ９０２）。
【００３８】
ステップ８０２で取得した文字列より、ステップ９０２で取得される頂点座標は（Ｘ，Ｙ）、幅はＷ、高さはＨである。
次に、矩形領域が表示ユニット２０８にすべて収まるような最大の倍率を計算し、さらにその矩形領域が表示ユニットの中央に表示されるように平行移動量を計算する（ステップ９０３）。
【００３９】
次に、ステップ９０３で求まった倍率と平行移動量をもとに表示ユニット２０８のサイズに合ったプレビュー用画像データを生成する（ステップ９０４）。
最後に、生成されたプレビュー用画像データを表示ユニット２０８に表示する。
【００４０】
＜実施形態２＞
次に、本発明の第２の実施形態について図面を参照して説明する。
データ送受信システムの原理およびデータ送信装置、データ受信装置のハードウェア構成、機能構成については第１の実施形態として説明したものと同じなので省略する。
【００４１】
データ送信装置１０１をユーザが操作してデータ受信装置１０２にデータを送信する処理について、図１０のフローチャートを用いて説明する。
まず、データ送信装置１０１にセットされた原稿を画像読み取り部３０１においてスキャンする（ステップ１００１）。
【００４２】
次に。スキャンしたデータを送信する画像データとして生成する（ステップ１００２）。例えばファクシミリ送信装置であれば、画像データのフォーマットはＪＰＥＧである。
次に、読み込んだ画像データに文字が含まれているかどうかを判別し（ステップ１００３）、文字が含まれていた場合はそれらの文字が縦方向あるいは横方向のどちらかにに並んでいるかどうかを判別する（ステップ１００４）。
【００４３】
文字が縦方向あるいは横方向に並んでいる場合、その文字の方向を縦方向、横方向のどちらであるかを求め（ステップ１００５）、プレビュー制御情報を生成する（ステップ１００６）。
【００４４】
ここで生成されるプレビュー制御情報は、図１１に示したように生成された画像に対して時計回りに０度、９０度、１８０度、２７０度回転した文字であると認識された場合、以下のようになる。即ち、それぞれ"ＲＯＴＡＴＥ（０）"、"ＲＯＴＡＴＥ（９０）"、"ＲＯＴＡＴＥ（１８０）"、"ＲＯＴＡＴＥ（２７０）"という文字列として生成される。最後にプレビュー制御情報と画像データをデータ送信部３０８より送信する（ステップ１００７）。
【００４５】
ステップ１００３において文字が含まれていないと判断された場合やステップ１００４において文字が縦方向あるいは横方向に並んでいないと判断された場合は、プレビュー制御情報を生成せず、画像データを送信する。
【００４６】
なお、ここでは原稿の向きを、画像データに含まれる文字を解析し、自動的に判別してプレビュー制御情報を生成する方法について説明した。しかしながら、例えば文字以外でも目印として方向を示した矢印を原稿に書き込み、スキャンして得られた画像データからその矢印の向きを判別し、プレビュー制御情報を生成してもよい。
【００４７】
また、送信者が原稿をスキャンしたあと、原稿の向きをユーザが手動で指定し、プレビュー制御情報を生成するようになっていてもよい。
データ送信装置１０１からデータを送信し、データ受信装置１０２がデータを受信するまでの処理の流れについては、実施形態１で説明したものと同じなので、説明を省略する。
【００４８】
次に、データ受信装置１０２がデータを受信してからの処理の流れを、図１２のフローチャートを用いて説明する。まず受信データを取得しＲＡＭ２０４に格納する（ステップ１２０１）。
【００４９】
次に、ＲＡＭ２０４に格納されたデータからプレビュー制御情報を取得する（ステップ１２０２）。ここで取得されるプレビュー制御情報は"ＲＯＴＡＴＥ（ｘ）"（ｘ＝０、９０、１８０、２７０）という文字列である。次に画像データを取得する（ステップ１２０３）。
【００５０】
次に、ステップ１２０２で取得したプレビュー制御情報の文字列から回転角度を求め、その角度を反時計回りに回転させてプレビュー画像を生成する（ステップ１２０４）。
最後に、プレビュー画像を表示ユニット２０８に表示して（ステップ１２０５）、処理を終了する。
【００５１】
なお、図５のステップ５０１〜５０７、図８のステップ８０１〜８０５、図９のステップ９０１〜９０４、図１０のステップ１００１〜１００７、図１２のステップ１２０１〜１２０５の各ステップ等についてのプログラムコードは、コンピュータのＲＡＭやＲＯＭなどに記憶されたプログラムが動作することによって実現できる。このプログラム及び当該プログラムを記録したコンピュータ読み取り可能な記憶媒体は本発明の実施形態に含まれる。
【００５２】
具体的に、前記プログラムは、例えばＣＤ−ＲＯＭのような記録媒体に記録し、或いは各種伝送媒体を介し、コンピュータに提供される。前記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、上記プログラムの伝送媒体としては、以下のものを用いることができる。即ち、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）である。
【００５３】
また、コンピュータが供給されたプログラムを実行することにより上述の実施形態の機能が実現されるだけでなく、以下の場合にも、かかるプログラムは本発明の実施形態に含まれる。当該プログラムがコンピュータにおいて稼働しているＯＳ（オペレーティングシステム）あるいは他のアプリケーションソフト等と共同して上述の実施形態の機能が実現される場合である。また、供給されたプログラムの処理の全てあるいは一部がコンピュータの機能拡張ボードや機能拡張ユニットにより行われて上述の実施形態の機能が実現される場合等である。
【図面の簡単な説明】
【００５４】
【図１】本発明における、データ送受信システムの原理を説明したネットワーク図である。
【図２】本発明における、データ送信装置およびデータ受信装置のハードウェア構成について説明したブロック図である。
【図３】本発明における、データ送信装置の機能構成について説明したブロック図である。
【図４】本発明における、データ受信装置の機能構成について説明したブロック図である。
【図５】本発明の第１の実施形態における、データ送信装置の処理について説明したフローチャートである。
【図６】本発明の第１の実施形態における、データ送信装置でのユーザの操作についての例を説明した図である。
【図７】本発明における、データ送信装置とデータ受信装置の制御信号の送受信を示した図である。
【図８】本発明の第１の実施形態における、データ受信装置の処理について説明したフローチャートである。
【図９】本発明の第１の実施形態における、データ受信装置でプレビュー画像を表示する処理について詳細に説明したフローチャートである。
【図１０】本発明の第２の実施形態における、データ送信装置の処理について説明したフローチャートである。
【図１１】本発明の第２の実施形態における、スキャン画像の文字の方向とプレビュー制御情報の文字列の関係を示した図である。
【図１２】本発明の第２の実施形態における、データ受信装置の処理について説明したフローチャートである。
【符号の説明】
【００５５】
１００  ネットワーク
１０１  データ送信装置
１０２  データ受信装置
２０２  ＣＰＵ
２０３  ＲＯＭ
２０４  ＲＡＭ
２０５  通信インタフェース
２０８  表示ユニット
３０６  プレビュー制御情報生成部
３０７  送信データ生成部
４０２  画像データ抽出部
４０３  プレビュー制御情報抽出部
４０５  プレビュー画像表示部
【図１】
2008022489.tif 000003
【図２】
2008022489.tif 000004
【図３】
2008022489.tif 000005
【図４】
2008022489.tif 000006
【図５】
2008022489.tif 000007
【図６】
2008022489.tif 000008
【図７】
2008022489.tif 000009
【図８】
2008022489.tif 000010
【図９】
2008022489.tif 000011
【図１０】
2008022489.tif 000012
【図１１】
2008022489.tif 000013
【図１２】
2008022489.tif 000014